(57)【要約】【課題】  ハンガーをカーテンレールに吊り下げて、洗濯物を干す場合に、洗濯物が窓ガラスに当たることを防止できるハンガー補助具を提供する。【解決手段】  ハンガー補助具１は、支持部材１１と、支持部材１１の中心に設けられた２個の取付部材１２ａ及び１２ｂにより構成される。支持部材１１の長さＬ１は、連式ハンガー２の各ハンガー２１ａ、２１ｂ、…、２１ｆの幅Ｌ２より長くする。連式ハンガー２のフック基底部の両側に本考案の第１のハンガー補助具１ａ、１ｂを取り付けて、洗濯物３１を干すと、洗濯物３１と窓ガラス３３との間に、隙間Ｇ１が生じるため、洗濯物３１が窓ガラス３３に当たることがなくなり、洗濯物３１を確実に乾燥できる。【選択図】        図２
0003128913.tif 000002
【実用新案登録請求の範囲】
【請求項１】
支持部材と、前記支持部材をハンガーに固定する取付部材とを有し、
前記支持部材は、それぞれがハンガーのフック基底部に取り付けられる一対の挟持部材からなり、
前記支持部材の少なくとも一方が前記ハンガー端より外側に突出する長さを有する
ことを特徴とするハンガー補助具。
【請求項２】
前記取付部材は、前記支持部材の中心に配置され、挟み構造に形成されることを特徴とする請求項１に記載のハンガー補助具。
【請求項３】
前記取付部材の一方の挟持部材は、前記支持部材の一端に配置され、前記取付部材の他方の挟持部材は、支持部材に沿って摺動することを特徴とする請求項１に記載のハンガー補助具。
【請求項４】
前記挟持部材は、相対する面に滑り止めが施されたことを特徴とする請求項３または４に記載のハンガー補助具。
【請求項５】
前記挟持部材は、それぞれが挟み構造で形成されることを特徴とする請求項３または４に記載のハンガー補助具。
【請求項６】
前記支持部材は、その長さを伸縮可能にする伸縮機構を有することを特徴とする請求項１に記載のハンガー補助具。
【請求項７】
前記支持部材は、２重パイプで形成され、外側の太い径のパイプに雌ネジを設け、内側の細いパイプに窪みを設け、外側のパイプからネジを挿入して内側の窪みに係合し、外側のパイプと内側のパイプとを結合することによって、前記支持部材の長さを伸縮自在にすることを特徴とする請求項６に記載のハンガー補助具。
【請求項８】
前記支持部材は、２重パイプで形成され、外側の太い径のパイプにスリットを設け、内側の細いパイプに突起を設け、内側のパイプの突起を外側のパイプのスリットに係合し、外側のパイプと内側のパイプとを結合することによって、前記支持部材の長さを伸縮自在にすることを特徴とする請求項６に記載のハンガー補助具。
【請求項９】
前記支持部材は、その端を傾斜して形成したことを特徴とする請求項１に記載のハンガー補助具。
【請求項１０】
前記支持部材は、その端に、滑り止め構造を有する当接部を設けるようにしたことを特徴とする請求項１に記載のハンガー補助具。
【考案の詳細な説明】
【技術分野】
【０００１】
本考案は、洗濯用のハンガーに取り付けて使用するハンガー補助具に関するもので、特に、ハンガーをカーテンレールに引っ掛けて使用したときに、洗濯物が窓ガラスに触れるのを防止するハンガー補助具に関する。
【背景技術】
【０００２】
図１８は、従来の連式ハンガーを示すものである。図１８に示すように、従来の連式ハンガー５０１は、平行に配置された２本のハンガー支持棒５２２ａ及び５２２ｂと、２本のハンガー支持棒５２２ａ及び５２２ｂの間に等間隔に配設された複数のハンガー５２１ａ、５２１ｂ、…、５２１ｆと、連式ハンガーを懸架するフック部５２３と、フック部５２３と２本のハンガー支持棒５２２ａ及び５２２ｂとを結合する鎖紐５２４ａ、５２４ｂ、５２４ｃ、５２４ｄとからなる。
【０００３】
なお、連式のハンガーは、複数の洗濯物を干すことができるハンガーで、このような連式ハンガーとしては、例えば特許文献１の図７に記載されている。
【特許文献１】特開２００４−２７５３４６号公報
【考案の開示】
【考案が解決しようとする課題】
【０００４】
ところが、このような従来の連式ハンガーでは、カーテンレールにハンガーを吊り下げて洗濯物を干すと、洗濯物が窓ガラスに当たってしまい、洗濯物が良く乾かないという問題が生じる。
【０００５】
つまり、雨の日等では、洗濯物を部屋の中で乾かすことになる。また、外から洗濯物が覗かれないように、洗濯物を部屋の中で干している人は多い。上述のような連式のハンガー５０１により洗濯物を部屋の中で干す場合、図１９に示すように、洗濯物５３１を連式ハンガーの各ハンガー５２１ａ、５２１ｂ、…、５２１ｆに掛け、カーテンレール５３２に連式ハンガーのフック部５２３を引っ掛けて使用することが良く行われる。
【０００６】
ところが、図１９に示すように、従来の連式ハンガー５０１を用いて、カーテンレール５３２に連式ハンガーのフック部５２３を引っ掛けて、洗濯物５３１を干すと、洗濯物５３１が窓ガラス５３３に当たってしまう。このため、窓に当たった部分が皺になってしまったり、窓に当たった部分が良く乾かないという問題が生じる。
【０００７】
本考案は、上述の課題を鑑み、ハンガーをカーテンレールに吊り下げて、洗濯物を干す場合に、洗濯物が窓ガラスに当たってしまうことが防止できるようにしたハンガー補助具を提供することを目的とする。
【課題を解決するための手段】
【０００８】
上述の課題を解決するために、本考案は、支持部材と、その支持部材をハンガーに固定する取付部材とを有し、その支持部材は、それぞれがハンガーのフック基底部に取り付けられる一対の挟持部材からなり、支持部材の少なくとも一方がハンガー端より外側に突出する長さを有することを特徴とするハンガー補助具である。
【０００９】
好ましくは、取付部材は、支持部材の中心に配置され、挟み構造に形成されることを特徴とする。
【００１０】
好ましくは、取付部材の一方の挟持部材は、支持部材の一端に配置され、取付部材の他方の挟持部材は、支持部材に沿って摺動することを特徴とする。
【００１１】
好ましくは、挟持部材は、相対する面に滑り止めが施されたことを特徴とする。
【００１２】
好ましくは、挟持部材は、それぞれが挟み構造で形成されることを特徴とする。
【００１３】
好ましくは、支持部材は、その長さを伸縮可能にする伸縮機構を有することを特徴とする。
【００１４】
好ましくは、支持部材は、２重パイプで形成され、外側の太い径のパイプに雌ネジを設け、内側の細いパイプに窪みを設け、外側のパイプからネジを挿入して内側の窪みに係合し、外側のパイプと内側のパイプとを結合することによって、支持部材の長さを伸縮自在にすることを特徴とする。
【００１５】
好ましくは、支持部材は、２重パイプで形成され、外側の太い径のパイプにスリットを設け、内側の細いパイプに突起を設け、内側のパイプの突起を外側のパイプのスリットに係合し、外側のパイプと内側のパイプとを結合することによって、支持部材の長さを伸縮自在にすることを特徴とする。
【００１６】
好ましくは、支持部材は、その端を傾斜して形成したことを特徴とする。
【００１７】
好ましくは、支持部材は、その端に、滑り止め構造を有する当接部を設けるようにしたことを特徴とする。
【考案の効果】
【００１８】
本考案によれば、支持部材と、その支持部材をハンガーに固定する取付部材とを有し、その支持部材は、それぞれがハンガーのフック基底部に取り付けられる一対の挟持部材からなり、支持部材の少なくとも一方がハンガー端より外側に突出する長さを有するようにしているので、カーテンレールからハンガーを吊り下げて洗濯物を干したときに、洗濯物が窓ガラスに当たることを防止できる。
【００１９】
本考案によれば、取付部材は、支持部材の中心に配置され、挟み形状に形成されるので、ハンガーの両端のいずれでも窓ガラスと洗濯物の間に隙間ができるので、ハンガーの向きを気にすることなく洗濯物が窓ガラスに当たることを防止できる。
【００２０】
本考案によれば、取付部材の一方の挟持部材は、支持部材の一端に配置され、取付部材の他方の挟持部材は、支持部材に沿って摺動するので、ハンガーの長さを短くできる。
【００２１】
本考案によれば、挟持部材は、相対する面に滑り止めが施されているので、ハンガーに取り付けたときに、ハンガー補助具がハンガーから容易にはずれないようにすることができる。
【００２２】
本考案によれば、挟持部材は、それぞれが挟み構造で形成されるので、種々の形状のハンガーに使用することができる。
【００２３】
本考案によれば、支持部材は、その長さを伸縮可能にする伸縮機構を有するので、種々の大きさのハンガーに使用することができる。
【００２４】
本考案によれば、支持部材は、２重パイプで形成され、外側の太い径のパイプに雌ネジを設け、内側の細いパイプに窪みを設け、外側のパイプからネジを挿入して内側の窪みに係合し、外側のパイプと内側のパイプとを結合することによって、支持部材の長さを伸縮自在に変化できるので、種々の大きさのハンガーに使用することができる。
【００２５】
本考案によれば、支持部材は、２重パイプで形成され、外側の太い径のパイプにスリットを設け、内側の細いパイプに突起を設け、内側のパイプの突起を外側のパイプのスリットに係合し、外側のパイプと内側のパイプとを結合することによって、支持部材の長さを伸縮自在に変化できるので、種々の大きさのハンガーに使用することができる。
【００２６】
本考案によれば、支持部材は、その端を傾斜して形成しているので、ハンガー補助具の端面を窓ガラスに当接させたとき、角が当たらず、端面全体が窓ガラスに接触し、ハンガーが安定して保持される。
【００２７】
本考案によれば、支持部材は、その端に、滑り止め構造を有する当接部を設けるようにしたので、ハンガー補助具の端面を窓ガラスに当接させたとき、当接部が窓に当たるので、ハンガーが安定して保持される。
【考案を実施するための最良の形態】
【００２８】
第１実施形態．
以下、本考案の実施の形態について図面を参照しながら説明する。図１（Ａ）及び図１（Ｂ）は、本考案の第１実施形態のハンガー補助具１の構成を示す平面図及び正面図である。図１（Ａ）及び図１（Ｂ）に示すように、本考案の第１実施形態のハンガー補助具１は、支持部材１１と、支持部材１１の中心に設けられた２個の取付部材１２ａ及び１２ｂにより構成される。支持部材１１としては、例えばポリプロピレン等の合成樹脂等からなる板材が用いられる。支持部材１１の長さＬ１は、図２に示す連式ハンガー２の各ハンガー２１ａ、２１ｂ、…、２１ｆの幅Ｌ２より長くなっている。また、支持部材１１の端面１３ａ及び１３ｂは、図１（Ｂ）に示すように、支持部材１１の側面が台形をなすような傾斜を有している。
【００２９】
取付部材１２ａ及び１２ｂは、ハンガー補助具１を連式ハンガー２に取り付けるための１対の部材である。取付部材１２ａ及び１２ｂの間隔Ｗ１は、図２に示すように、ハンガー１２１ａ、２１ｂ、…、２１ｆの基底部２５ａ，２５ｂの間隔Ｗ２に対応している。取付部材１２ａ及び１２ｂの先端は、図１（Ａ）に示すように、互いに内側に折曲されている。
【００３０】
図２は、本考案の第１実施形態のハンガー補助具１を連式ハンガー２に取り付ける場合の説明図である。連式ハンガー２は、図２に示すように、平行に配置された２本のハンガー支持棒２２ａ及び２２ｂと、２本のハンガー支持棒２２ａ及び２２ｂの間に等間隔に配設された複数のハンガー２１ａ、２１ｂ、…、２１ｆと、連式ハンガー２を懸架するフック部２３と、フック部２３と２本のハンガー支持棒２２ａ及び２２ｂとを結合する鎖紐２４ａ、２４ｂ、２４ｃ、２４ｄとからなる。
【００３１】
本考案の第１実施形態のハンガー補助具１を連式ハンガー２に取り付ける場合には、図２に示すように、連式ハンガー２の両側に、２つのハンガー補助具１ａ、１ｂを対向して配置する。そして、ハンガー補助具１ａの取付部材１２ａ及び１２ｂの間に、ハンガー１２１ａの基底部２５ａ，２５ｂをそれぞれ係合させる。前述したように、ハンガー補助具１ａの取付部材１２ａ及び１２ｂの間隔Ｗ１は、ハンガー１２１の基底部２５ａ，２５ｂの間隔Ｗ２に対応している。このため、ハンガー補助具１ａの取付部材１２ａ及び１２ｂの間に、ハンガーの基底部２５ａ，２５ｂの側縁が挟持され、基底部２５ａ，２５ｂの両側に、ハンガー補助具１ａが固定される。取付部材１２ａ及び１２ｂの先端は、図１（Ａ）に示したように、互いに内側に折曲されているため、ハンガー補助具１ａ、１ｂは、ハンガーの基底部２５ａ，２５ｂに確実に固定される。上記はハンガー補助具１ａについての説明であるが、ハンガー補助具１ｂについても同様である。
【００３２】
図３は、本考案の第１実施形態のハンガー補助具１ａ、１ｂを連式ハンガー２に装着して、カーテンレール３２から連式ハンガー２を吊して、洗濯物３１を乾かす場合を示している。洗濯物３１を干す場合には、図２に示したように、連式ハンガー２の両側に本考案の第１のハンガー補助具１ａ、１ｂを取り付けて、洗濯物３１を連式ハンガー２の各ハンガー２１ａ、２１ｂ、…、２１ｆに掛け、カーテンレール３２に連式ハンガー２のフック部２３を引っ掛ける。このとき、図２に示したように、本考案の第１実施形態のハンガー補助具１ａ、１ｂの支持部材１１の長さＬ１は、連式ハンガー２の各ハンガー２１ａ、２１ｂ、…、２１ｆの幅Ｌ２より長くなっている。すなわち、本考案の第１実施形態のハンガー補助具１では、支持部材１１の長さL１は、支持部材１１を連式ハンガー２に取り付けたときに、その端が連式ハンガー２の各ハンガー２１ａ、２１ｂ、…、２１ｆより外側に突出する長さに形成される。このため、連式ハンガー２の両側に本考案の第１のハンガー補助具１ａ、１ｂを取り付けて、洗濯物３１を干すと、図３に示すように、洗濯物３１と窓ガラス３３との間に、隙間Ｇ１が生じる。このように、洗濯物３１と窓ガラス３３との間に隙間Ｇ１が生じるため、洗濯物３１が窓ガラス３３に当たることがなくなり、洗濯物３１を確実に乾燥できる。
【００３３】
また、本考案の第１の実施形態のハンガー補助具１は、その端面１３ａ及び１３ｂは斜めに角度を有している。このため、図３に示すように、ハンガー補助具１の端面１３ａを窓ガラス３３に当接させたとき、ハンガー補助具１の端面１３ａ全体が窓ガラス３３に接触する。このため、連式ハンガー２が安定して保持される。
【００３４】
第２実施形態．
次に、本考案の第２実施形態について説明する。前述の第１実施形態においては、連式のハンガー２の両側に、本考案の第１実施形態のハンガー補助具１ａ、１ｂを取り付けるようにしている。これに対して、この第２実施形態では、単式のハンガーに取り付けるものである。
【００３５】
図４は、本考案の第２実施形態を示すものである。図４に示すように、本考案の第２実施形態のハンガー補助具１０１は、支持部材１１１と、支持部材１１１の中心に設けられた取付部材１１２とにより構成される。支持部材１１１は、中心のパイプ部材１５１と、パイプ部材１５１に挿通された両端のパイプ部材１５２ａ及び１５２ｂとにより構成される。支持部材１１１の長さは、パイプ部材１５２ａ及び１５２ｂをパイプ部材１５１に対して移動させることで、伸縮自在となっている。
【００３６】
図５は、支持部材１１１の伸縮機構の一例を示す。図５に示すように、パイプ部材１５１の内径は、両端のパイプ部材１５２ａ及び１５２ｂの外径に対応しており、パイプ部材１５１内にパイプ部材１５２ａに挿通される。また、パイプ部材１５１と、パイプ部材１５２ａとの継目には、結合部材１５３が設けられる。
【００３７】
結合部材１５３は、ロック片１５４と、ロック片１５４の下方に設けられた切欠１５５と、ロック片１５４を回動自在に支持する取付片１５６とからなり、パイプ部材１５１の端に固定されている。パイプ部材１５１の端では、結合部材１５３内に、パイプ部材１５２ａが挿通されている。
【００３８】
支持部材１１１を伸縮させて長さを調整するときには、結合部材１５３のロック片１５４を矢Ｂ１方向に引き上げる。ロック片１５４を引き上げているときには、図５（Ａ）に示すように、結合部材１５３の切欠１５５とロック片１５４の係合部１５４ａが外れている。このときには、パイプ部材１５１とパイプ部材１５２ａとが伸縮自在となる。
【００３９】
ロック片１５４を矢印Ｂ２方向に押し倒すと、図５（Ｂ）に示すように、ロック片１５４の係合部１５４ａが切欠１５５に嵌合し、ロック片１５４の係合部１５４ａが切欠１５５から内部に突出する。このため、パイプ部材１５２ａに対して、矢印Ａ１のように力が加わる。これにより、パイプ部材１５１とパイプ部材１５２ａとがロックされる。
【００４０】
図４において、支持部材１１１の両側には、当接部１１３ａ及び１１３ｂが設けられる。当接部１１３ａ及び１１３ｂは、本考案の第２実施形態のハンガー補助具１０１をハンガー１０２に取り付けて、カーテンレールから吊り下げて、洗濯物を干したときに、支持部材１１１の先端部である当接部１１３ａ及び１１３ｂが窓ガラスに接触し、ハンガーが安定して保持されるようにするものである。当接部１１３ａ及び１１３ｂとしては、ゴムやウレタン等、弾性があり、柔軟な部材が用いられる。
【００４１】
図６は、当接部１１３ａ及び１１３ｂの一例を示すものである。この例では、支持部材１１１を構成するパイプ部材１５２ａ及び１５２ｂの先端部に、２つの取付片１８１が対向して設けられ、この２つの取付片１８１に、それぞれ当接部１１３ａ及び１１３ｂが回動自在に取り付けられる。当接部１１３ａ及び１１３ｂは、ゴムやフェルト等、柔軟性があり、弾性を有する部材が用いられる。
【００４２】
図４において、取付部材１１２は、ハンガー補助具１０１をハンガー１０２の上部に固定するための部分である。本考案の第２実施形態では、取付部材１１２として、図７に示すようなものが用いられる。
【００４３】
図７において、ハンドル片１３１ａは、グリップ部１３２ａと、挟持部１３３ａとから構成され、ハンドル片１３１ｂは、グリップ部１３２ｂと、挟持部１３３ｂとから構成される。挟持部１３３ａ及び１３３ｂの内側には、滑り止めが設けられる。ハンドル片１３１ａとハンドル片１３１ｂとは交差し、支点１３５により、ハンドル片１３１ａとハンドル片１３１ｂとが回動自在に結合される。そして、ハンドル片１３１ａとハンドル片１３１ｂの間にスプリング１３６が介装される。
【００４４】
図７に示す取付部材１１２の例では、グリップ部１３２ａ及び１３２ｂを握ると、挟持部１３３ａ及び１３３ｂが開く。この挟持部１３３ａ及び１３３ｂの間に、ハンガー２の上部を配置して、ハンドル片１３１ａ及び１３１ｂから手を離すと、スプリング１３６に付勢されて、挟持部１３３ａ及び１３３ｂが閉じられ、挟持部１３３ａ及び１３３ｂの間に、ハンガー１０２が挟持される。
【００４５】
図８は、本考案の第２実施形態のハンガー補助具１０１を、単式のハンガー１０２に取り付ける場合の説明図である。図８において、単式のハンガー１０２は、水平杆１２１と、肩掛部１２２と、フック基底部１２３と、フック１２４とから構成される。
【００４６】
本考案の第２実施形態のハンガー補助具１０１をハンガー１０２に取り付ける場合には、支持部材１１１の長さＬ１０１を、ハンガー１０２の幅Ｌ１０２より長くなるように調整する。そして、図８に示すように、ハンガー補助具１０１とハンガー１０２とを対向させ、取付部材１１２により、ハンガー１０２のフック基底部１２３を挟持させる。
【００４７】
このように、本考案の第２実施形態のハンガー補助具１０１をハンガー１０２に取り付けて、洗濯物をハンガーに掛け、カーテンレールにハンガー１０２を引っ掛けると、前述の第１実施形態と同様に、洗濯物と窓ガラスとの間に、隙間が生じるため、洗濯物が窓ガラスに当たることがなくなり、洗濯物を確実に乾燥できる。
【００４８】
また、本考案の第２実施形態では、支持部材１１１が伸縮自在となっているので、各種の大きさのハンガーに取り付ける場合にも、支持部材１１１の長さを最適に調整できる。
【００４９】
また、この第２実施形態では、ハンドル片１３１ａとハンドル片１３１ｂとを交差させ、支点１３５により、ハンドル片１３１ａとハンドル片１３１ｂとが回動自在に結合して、取付部材１１２を構成しているので、各種の形状や大きさのハンガーに、取り付けることができる。
【００５０】
第３実施形態．
次に、本考案の第３実施形態のハンガー補助具について説明する。図９は本考案の第３実施形態を示すものである。この実施形態は、前述の第２実施形態のハンガー補助具１０１の支持部材１１１の伸縮機構として、図９に示すような構成のものを用いている。なお、他の構成については、前述の第２実施形態と同様であり、その説明を省略する。
【００５１】
図９（Ａ）において、パイプ部材１５１の内径は、パイプ部材１５２ａの外径に対応している。図９（Ａ）に示すように、パイプ部材１５２ａには、複数の凹部１６１が設けられる。パイプ部材１５１に、ネジ１６２を取り付ける雌ネジが設けられる。
【００５２】
ネジ１６２を緩めて、ネジ１６２の先端はパイプ部材１５１の内部に突出していない状態で、パイプ部材１５１にパイプ部材１５２ａを挿通する。この状態で、パイプ部材１５２ａはパイプ部材１５１に対して挿通自在となる。
【００５３】
ネジ１６２を締めると、図９（Ｂ）に示すように、ネジ１６２の先端がパイプ部材１５１の内部に突出し、ネジ１６２の先端がパイプ部材１５２ａの凹部１６１に係合する。これにより、パイプ部材１５１とパイプ部材１５２とが固定される。
【００５４】
第４実施形態．
次に、本考案の第４実施形態のハンガー補助具について説明する。図１０は本考案の第４実施形態を示すものである。この実施形態は、前述の第２実施形態のハンガー補助具の支持部材の伸縮機構として、図１０に示すような構成のものを用いている。なお、他の構成については、前述の第２実施形態と同様であり、その説明を省略する。
【００５５】
図１０において、パイプ部材１５１の内径は、両端のパイプ部材１５２ａの外径に対応している。図１０に示すように、パイプ部材１５２ａには、長手方向にスリット１７１が設けられると共に、所定の間隔で、円周方向に、複数のスリット１７３が設けられる。パイプ部材１５１には、突起１７４が設けられる。
【００５６】
パイプ部材１５２ａとパイプ部材１５１とを連結する際に、突起１７４をスリット１７１に係合させる。これにより、突起１７４はスリット１７１に沿って摺動し、パイプ部材１５１とパイプ部材１５２とが伸縮自在となる。パイプ部材１５２ａを回転させると、突起１７４は、円周方向に配設された複数のスリット１７３の何れかに係合する。これにより、パイプ部材１５１とパイプ部材１５２とが固定される。なお、図１０においては、外側パイプにスリットが設けられ、内側パイプに突起が設けられているが、これを逆にして、内側パイプにスリットが設けられ、外側パイプに突起が設けられるようにしても良い。そのときには突起は外側パイプの内面に形成される。
【００５７】
第５実施形態．
次に、本考案の第５実施形態のハンガー補助具について説明する。図１１は本考案の第５実施形態を示すものである。この実施形態は、前述の第２実施形態のハンガー補助具１０１の支持部材１１１の両端の当接部１１３ａ、１１３ｂとして、図１１に示すような構成のものを用いている。すなわち、図１１に示すように、本考案の第５実施形態においては、支持部材１１１を構成するパイプ部材１５２ａの端部に、当接部１１３ａを有する球体１８２が嵌合される。当接部１１３ａは、ゴムやフェルト等、柔軟性があり、弾性を有する部材が用いられる。このように、支持部材１１１の端部に、当接部１１３ａを有する球体１８２が嵌合しているので、支持部材１１１の方向を自在に変えることができる。なお、他の構成については、前述の第２実施形態と同様であり、その説明を省略する。
【００５８】
第６実施形態．
次に、本考案の第６実施形態のハンガー補助具について説明する。図１２は本考案の第６実施形態を示すものである。この実施形態は、前述の第２実施形態のハンガー補助具１０１の支持部材１１１の両端の当接部１０３ａ、１０３ｂとして、図１２に示すような構成のものを用いている。すなわち、図１２に示すように、この実施形態では、支持部材１１１の端部に、球体１８３からなる当接部１１３ａが嵌合される。当接部１１３ａとしての球体１８３は、ゴムやフェルト等、柔軟性があり、弾性を有する部材が用いられる。なお、他の構成については、前述の第２実施形態と同様であり、その説明は省略する。
【００５９】
第７実施形態．
次に、本考案の第７実施形態のハンガー補助具について説明する。前述の第１〜第６実施形態では、支持部材のほぼ中心に取付部材を配置し、ハンガー補助部材をハンガーに取り付けたとき、ハンガー補助部材の両端をハンガーから突出させて、ハンガーに掛けた洗濯物が窓ガラスに当たらないようにしている。
【００６０】
これらの実施形態では、支持部材の長さを、ハンガーの長さ幅より長くなるようにして、支持部材をハンガーに取り付けたときに、その端がハンガーより外側に突出するようにしている。これにより、カーテンレールからハンガーをつり下げて洗濯物を干したときに、洗濯物が窓ガラスに当たらないようにしている。
【００６１】
しかしながら、窓ガラスに当たるのは、ハンガーの一方の側だけである。このことから、ハンガー補助部材の両端をハンガーから突出させる必要はない。
【００６２】
そこで、この実施形態では、支持部材の一端に取付部材を設け、支持部材の一端の取付部材の中心から支持部材の他端までの長さを、ハンガーの幅の半分より長くなるようにして、ハンガー補助部材をハンガーに取り付けたとき、ハンガー補助部材の一端のみをハンガーから突出させるようにしている。これにより、ハンガー補助具の小型化が図れる。
【００６３】
図１３は、本考案の第７実施形態を示すものである。図１３に示すように、本考案の第７実施形態のハンガー補助具２０１は、支持部材２１１と、支持部材２１１の一端に設けられた取付部材２１２とにより構成される。支持部材２１１の長さは、伸縮自在となっている。支持部材２１１の伸縮機構については、前述の第２実施形態、第３実施形態、第４実施形態で説明した通りであり、その説明は省略する。
【００６４】
取付部材２１２としては、図１４に示すようなものが用いられる。図１４において、支持部材２１１の一端に、挟持部材２５１が固定され、挟持部材２５１に対向して、挟持部材２５２が設けられる。支持部材２１１には長手方向にスリット２５３が設けられ、挟持部材２５２は、このスリット２５３に沿って、支持部材２１１の長手方向に摺動自在とされる。また、支持部材２１１内には、挟持部材２５２を付勢するスプリング２５４が設けられる。
【００６５】
この取付部２１２では、挟持部材２５２を持ってスリット２５３に沿って摺動させて挟持部材２５１と挟持部材２５２との間を広げ、挟持部材２５１と挟持部材２５２との間にハンガー２０２の上部を配置する。そして手を離すと、スプリング２５４に付勢されて、挟持部材２５１と挟持部材２５２との間に、ハンガー２０２の上部が挟持され、ハンガー２０２にハンガー補助具２０１が固定される。
【００６６】
図１３において、支持部材２１１の他端の端面には、当接部２１３が設けられる。当接部２１３としては、ゴムやウレタン等、弾性があり、柔軟な部材が用いられる。当節部の構成については、前述の第２実施形態、第５実施形態、第６実施形態で説明した通りであり、その説明は省略する。
【００６７】
図１５は、本考案の第７実施形態のハンガー補助具２０１を単式のハンガー２０２に取り付ける場合の説明図である。
【００６８】
図１５において、単式のハンガー２０２は、水平杆２２１と、肩掛部２２２と、フック基底部２２３と、フック２２４とから構成される。本考案の第７実施形態のハンガー補助具２０１をハンガー２０２に取り付ける場合には、支持部材２１１の一端の取付部材２１２の中心から支持部材２１１の他端までの長さＬ２０１を、ハンガー２０２の幅Ｌ２０２の半分より長くなるように調整する。そして、図１５に示すように、ハンガー補助具２０１とハンガー２０２とを対向させ、取付部材２１２により、ハンガー２０２のフック基底部２２３にハンガー補助具２０１を取り付ける。
【００６９】
このように、本考案の第７実施形態のハンガー補助具２０１をハンガー２０２に取り付けて、洗濯物をハンガーに掛け、カーテンレールにハンガー２０２を引っ掛けると、洗濯物と窓ガラスとの間に、隙間が生じるため、洗濯物が窓ガラスに当たることがなくなり、洗濯物を確実に乾燥できる。
【００７０】
第８実施形態．
次に、本考案の第８実施形態のハンガー補助具について説明する。図１６は、本考案の第８実施形態を示すものである。この実施形態は、第７実施形態のハンガー補助具の取付部材２１２として、図１６に示すような構成のものを用いている。他の構成は、前述の第７実施形態と同様である。
【００７１】
図１６において、挟持片２６１に対して挟持片２６２が支点２６４により回動自在に取り付けられ、挟持片２６１と挟持片２６２との間にスプリング２６３が介装されて、第１の挟持体２６５が構成される。挟持片２７１に対して挟持片２７２が支点２７４により回動自在に取り付けられ、挟持片２７１と挟持片２７２との間にスプリング２７３が介装されて、第２の挟持体２７５が構成される。第１の挟持体２６５は支持部材２１１の一端に固定され、第２の挟持体２７５は、矢印Xのように、支持部材２１１の長手方向に移動自在とされる。
【００７２】
図１７は、本考案の第８実施形態のハンガー補助具２０１を、単式のハンガー２０２に取り付ける場合の説明図である。ハンガー２０２に本考案の第８実施形態のハンガー２０１を取り付ける場合には、ハンガー２０２のフック基底部２２３の幅に応じて、第１の挟持体２６５と第２の挟持体２７５との間の距離を調整する。そして、挟持片２６１と挟持片２６２とにより、フック基底部２２３の一方２２３ａを挟持し、挟持片２７１と挟持片２７２とにより、フック基底部２２３の他方２２３ｂを挟持して、第１の挟持体２６５と第２の挟持体２７５とにより、ハンガー２０２のフック基底部２２３にハンガー補助具２０１を固定させる。
【００７３】
この実施形態では、第１の挟持体２６５と第２の挟持体２７５との２つの挟持体により、ハンガー補助具２０１を単式のハンガー２０２に取り付けている。このため、より確実に、ハンガー補助具２０１を単式のハンガー２０２に固定することができる。
【００７４】
本考案は、上述した実施形態に限定されるものではなく、この考案の要旨を逸脱しない範囲内で様々な変形や応用が可能である。
【産業上の利用可能性】
【００７５】
本考案は、連式のハンガーや単式のハンガーに取り付けて、ハンガーをカーテンレールに引っ掛けて使用したときに、洗濯物が窓ガラスに触れるのを防止するのに使用することができる。
【図面の簡単な説明】
【００７６】
【図１】本考案の第１実施形態のハンガー補助具の平面図及び正面図である。
【図２】本考案の第１実施形態のハンガー補助具の使用時の説明に用いる斜視図である。
【図３】本考案の第１実施形態のハンガー補助具を用いて洗濯物を干したときの説明図である。
【図４】本考案の第２実施形態のハンガー補助具の平面図である。
【図５】本考案の第２実施形態のハンガー補助具における伸縮機構の説明図である。
【図６】本考案の第２実施形態のハンガー補助具における当接部の説明図である。
【図７】本考案の第２実施形態のハンガー補助具における取付部材の説明図である。
【図８】本考案の第２実施形態のハンガー補助具の使用時の説明に用いる斜視図である。
【図９】本考案の第３実施形態のハンガー補助具における伸縮機構の説明図である。
【図１０】本考案の第４実施形態のハンガー補助具における伸縮機構の説明図である。
【図１１】本考案の第５実施形態のハンガー補助具における当接部の説明図である。
【図１２】本考案の第６実施形態のハンガー補助具における当接部の説明図である。
【図１３】本考案の第７実施形態のハンガー補助具の平面図である。
【図１４】本考案の第７実施形態のハンガー補助具における伸縮機構の説明図である。
【図１５】本考案の第７実施形態のハンガー補助具の使用時の説明に用いる斜視図である。
【図１６】本考案の第８実施形態のハンガー補助具の平面図である。
【図１７】本考案の第８実施形態のハンガー補助具の使用時の説明に用いる斜視図である。
【図１８】従来の連式ハンガーの一例の斜視図である。
【図１９】従来の連式ハンガーを用いて洗濯物を干したときの説明図である。
【符号の説明】
【００７７】
１  ハンガー補助具
２  連式ハンガー
１１  支持部材
１２ａ，１２ｂ  取付部材
１３ａ，１３ｂ  端面
２１ａ〜２１ｆ  ハンガー
２２  ハンガー支持棒
２３  フック部
２４ａ〜２４ｅ  鎖紐
２５ａ，２５ｂ  ハンガー基底部基底部
３１  洗濯物
３２  カーテンレール
３３  窓ガラス
１０１  ハンガー補助具
１０２  ハンガー
１０３ａ、１０３ｂ  当接部
１１１  支持部材
１１２  取付部材
１１３ａ，１１３ｂ  当接部
１２１  水平杆
１２２  肩掛部
１２３  フック基底部
１２４  フック
２０１  ハンガー補助具
２０２  ハンガー
２１１  支持部材
２１２  取付部材
２１３  当接部
２２１  水平杆
２２２  肩掛部
２２３  フック基底部
２２４  フック
【図１】
0003128913.tif 000003
【図２】
0003128913.tif 000004
【図３】
0003128913.tif 000005
【図４】
0003128913.tif 000006
【図５】
0003128913.tif 000007
【図６】
0003128913.tif 000008
【図７】
0003128913.tif 000009
【図８】
0003128913.tif 000010
【図９】
0003128913.tif 000011
【図１０】
0003128913.tif 000012
【図１１】
0003128913.tif 000013
【図１２】
0003128913.tif 000014
【図１３】
0003128913.tif 000015
【図１４】
0003128913.tif 000016
【図１５】
0003128913.tif 000017
【図１６】
0003128913.tif 000018
【図１７】
0003128913.tif 000019
【図１８】
0003128913.tif 000020
【図１９】
0003128913.tif 000021
【手続補正書】
【提出日】平成18年11月16日(2006.11.16)
【手続補正１】
【補正対象書類名】実用新案登録請求の範囲
【補正対象項目名】請求項４
【補正方法】変更
【補正の内容】
【請求項４】
前記挟持部材は、相対する面に滑り止めが施されたことを特徴とする請求項１乃至３のいずれかに記載のハンガー補助具。
【手続補正２】
【補正対象書類名】実用新案登録請求の範囲
【補正対象項目名】請求項５
【補正方法】変更
【補正の内容】
【請求項５】
前記挟持部材は、それぞれが挟み構造で形成されることを特徴とする請求項３に記載のハンガー補助具。